(57)【要約】      （修正有）【課題】縫着するよりも簡便で安価に製造することができる不織布生地とスライドファスナーを備えるファスナー構造体を提供する。【解決手段】スライドファスナーを備えた開閉自在なファスナー構造体１であって、該スライドファスナーは、２枚の支持テープ３の対向する端縁部分のそれぞれに、多数のエレメント５を並列に取着し、該エレメントを対にして嵌合、そして分離するスライダー６を該エレメント列に沿って往復自在に備えたファスナーであり、そして、開閉自在とする部位で対向する左右の不織布生地４と、前記２枚の支持テープとが夫々融着されてなることを特徴とするファスナー構造体。【選択図】図１
2020180413.tif 000002
【特許請求の範囲】
【請求項１】
スライドファスナーを備えた開閉自在なファスナー構造体であって、
該スライドファスナーは、２枚の支持テープの対向する端縁部分のそれぞれに、多数のエレメントを並列に取着し、該エレメントを対にして嵌合、そして分離するスライダーを該エレメント列に沿って往復自在に備えたファスナーであり、そして、開閉自在とする部位で対向する左右の不織布生地と、前記２枚の支持テープとが夫々融着されてなることを特徴とするファスナー構造体。
【請求項２】
前記不織布生地が、融着可能な材料であって、アクリル、アラミド、ガラス、セルロース、ナイロン、ビニロン、ポリエステル、ポリエチレン、ポリプロピレン、ポリオレフィン、ポリ乳酸、レーヨンからなる群から選ばれる少なくとも１種である請求項１に記載のファスナー構造体。
【請求項３】
前記スライドファスナーが更に、エレメント列の終端に取着される止め具及びスライダー内への案内具を備える請求項１又は請求項２に記載のファスナー構造体。
【請求項４】
請求項１乃至請求項３のいずれか一項に記載のファスナー構造体を備えた袋物。
【請求項５】
前記袋物が、スーツ収納袋、エコバッグ、布団収納袋、本収納袋、鞄収納袋、靴収納袋、毛布収納袋、洗濯袋、ショッパー、巾着、ポーチ、衣類収納袋、傘収納袋、又は配送袋である請求項４に記載の袋物。
【発明の詳細な説明】
【技術分野】
【０００１】
本発明は、ファスナー構造体に関する。詳しくは、スライドファスナーと不織布生地を融着することで、縫着に比べて手間と時間がかからず、より低コストで製造することができるファスナー構造体に関する。
【背景技術】
【０００２】
従来、スーツ収納袋や布団収納袋等に、衣料や靴等に用いられるスライドファスナーと同様に、支持テープとして織布を用いたスライドファスナーが用いられている。
【０００３】
このようなスライドファスナーは、エレメントが、織布の支持テープの経糸又は緯糸に、縫付け糸により、縫い込まれることによって、支持テープにしっかりと固定されているので、スライドファスナーの開閉の際、エレメントがスライダーによって引っ張られても、エレメントは支持テープから、容易に外れない。したがって、衣料や靴等の頻繁に開閉が行なわれる、あるいは長く使用する用途の物品には、このような織布の支持テープを用いたスライドファスナーを用いることが適する。
【０００４】
しかしながら、スーツ収納袋等の収納袋は使い捨てもしくは使用寿命が短く、また布団収納袋等の収納袋は使用頻度が少ないので、これら収納袋に適用されるスライドファスナーとして、織布の支持テープを用いたものは、要求品質をはるかに超える高品質のもの、言い換えると必要以上に高性能のスライドファスナーとなり、また支持テープとして織布を用いているため製造コストが高いという問題点があった。
【０００５】
一方で、上記の問題点を解決するために支持テープが、不織布を素材とするスライドファスナーが提案されている。（特許文献１）。
【先行技術文献】
【特許文献】
【０００６】
【特許文献１】特開２００４−２７５５７７号公報
【発明の概要】
【発明が解決しようとする課題】
【０００７】
特許文献１に記載のスライドファスナーは、支持テープが、不織布を素材とすることにより、経済的なコストに関して従来の織布の支持テープを用いたスライドファスナーに比して大変優れたものである。
しかしながら、スーツ収納袋等のような使い捨てもしくは使用寿命が短い収納袋に使用されるスライドファスナーは、さらなる製造コストの削減が求められている。
そこで、従来これらの収納袋に使用されるスライドファスナーが縫着によって、結合されていることに注目した。スライドファスナーを収納袋に縫製した場合、人がミシン等を用いてスライドファスナーと不織布生地を縫い合わせて製造することに加えて検針する必要もあるため、製造に手間と時間がかかり、製造コストが高くなってしまうという問題がある。そのため、縫製した収納袋は相対的に高価なものとなってしまうところが不利な点である。
【０００８】
本発明は、斯かる事情を考慮してなされたものであって、その目的とするところは、縫着するよりも簡便で安価に製造することができる不織布生地とスライドファスナーを備えるファスナー構造体を提供することである。
【課題を解決するための手段】
【０００９】
本発明者は上記課題を解決するために鋭意検討を行った結果、スライドファスナーを不織布生地に結合する際に、融着させることで、収納袋、特に、頻繁に収納物を出し入れしない、あるいは長く使用しない用途の収納袋に用いるのに適した性能のファスナー構造体となることを見出し、本発明を完成させた。
【００１０】
即ち、本発明は、以下の態様からなる。
（１）スライドファスナーを備えた開閉自在なファスナー構造体であって、
該スライドファスナーは、２枚の支持テープの対向する端縁部分のそれぞれに、多数のエレメントを並列に取着し、該エレメントを対にして嵌合、そして分離するスライダーを該エレメント列に沿って往復自在に備えたファスナーであり、そして、開閉自在とする部位で対向する左右の不織布生地と、前記２枚の支持テープとが夫々融着されてなることを特徴とするファスナー構造体。
（２）前記不織布生地が、融着可能な材料であって、アクリル、アラミド、ガラス、セルロース、ナイロン、ビニロン、ポリエステル、ポリエチレン、ポリプロピレン、ポリオレフィン、ポリ乳酸、レーヨンからなる群から選ばれる少なくとも１種である前記（１）に記載のファスナー構造体。
（３）前記スライドファスナーが更に、エレメント列の終端に取着される止め具及びスライダー内への案内具を備える前記（１）又は前記（２）に記載のファスナー構造体。
（４）前記（１）乃至前記（３）のうちいずれか一つに記載のファスナー構造体を備えた袋物。
（５）前記袋物が、スーツ収納袋、エコバッグ、布団収納袋、本収納袋、鞄収納袋、靴収納袋、毛布収納袋、洗濯袋、ショッパー、巾着、ポーチ、衣類収納袋、傘収納袋、又は配送袋である前記（４）に記載の袋物。
【発明の効果】
【００１１】
本発明のファスナー構造体は、不織布生地に、スライドファスナーの支持テープを融着させることで、縫着のように一枚ずつ人の手でミシン縫いをする必要がなくなり、製造コストを低減できるという効果を奏する。
また、適度に開閉が行なわれても、支持テープが不織布生地から外れないくらいの十分な強度を有し、スーツ収納袋等の使い捨てもしくは使用寿命の短い用途の収納袋あるいは布団収納袋等の使用頻度の少ない用途の収納袋に用いられるのに適した性能のファスナー構造体を提供できるという効果を奏する。
【図面の簡単な説明】
【００１２】
【図１】図１（ａ）は、実施例１のファスナー構造体の正面図である。図１（ｂ）は、図１（ａ）から一部抜粋した部分のＡ−Ａ’断面図である。
【図２】図２（ａ）は、実施例２のスライドファスナーが閉じられた状態のファスナー構造体の正面図である。図２（ｂ）は、実施例２のスライドファスナーが開かれた状態のファスナー構造体の正面図である。
【図３】図３は、本発明のファスナー構造体を用いたスーツ収納袋の正面図を示す。
【図４】図４は、本発明のファスナー構造体を用いたエコバッグの斜視図を示す。
【図５】図５は、本発明のファスナー構造体を用いた布団収納袋の斜視図を示す。
【図６】図６は、本発明のファスナー構造体を用いた本収納袋の斜視図を示す。
【図７】図７は、本発明のファスナー構造体を用いた鞄収納袋の斜視図を示す。
【図８】図８は、本発明のファスナー構造体を用いた靴収納袋の斜視図を示す。
【図９】図９は、本発明のファスナー構造体を用いた毛布収納袋の斜視図を示す。
【図１０】図１０は、本発明のファスナー構造体を用いた洗濯袋の斜視図を示す。
【図１１】図１１（ａ）は、不織布生地と支持テープとが融着されている結合部が、エレメント列に沿って破線状に二列平行に形成されていることを示しているファスナー構造体の正面図である。図１１（ｂ）は、不織布生地と支持テープとが融着されている結合部が、エレメント列に沿って直線状に形成されていることを示しているファスナー構造体の正面図である。図１１（ｃ）は、不織布生地と支持テープとが融着されている結合部が、エレメント列に対し斜めに位置する短冊状であり、それがエレメント列に沿って多数形成されていることを示しているファスナー構造体の正面図である。図１１（ｄ）は、不織布生地と支持テープとが融着されている結合部が、十字形状であり、それがエレメント列に沿って多数形成されていることを示しているファスナー構造体の正面図である。
【発明を実施するための形態】
【００１３】
更に詳細に本発明を説明する。
本発明のファスナー構造体に使用されるスライドファスナーは、２枚の支持テープの対向する端縁部分のそれぞれに、多数のエレメントを並列に取着し、該エレメントを対にして嵌合、分離するスライダーを該エレメント列に沿って往復自在に備えたファスナーである。そして、該ファスナーを備えたファスナー構造体は開閉自在とする部位で対向する左右の不織布生地と、前記２枚の支持テープとが夫々融着されている。
上記不織布生地に使用される素材としては、従来から用いられているものと同様に、アクリル、アラミド、ガラス、セルロース、ナイロン、ビニロン、ポリエステル、ポリエチレン、ポリプロピレン、ポリオレフィン、ポリ乳酸、レーヨン等の合成樹脂を用いることができる。好ましくは、ポリプロピレン、ポリエチレン、ナイロンであり、特に好ましくは、ポリプロピレンである。支持テープと不織布生地を融着する観点から同一の合成樹脂であることが好ましいがこれに限定されない。
【００１４】
本発明のファスナー構造体を製造するにあたって用いる融着方法としては、従来公知の超音波融着又は熱融着（ヒートシール）の方法を使用することができる。超音波融着の方法としては、回転ロール（ミシン）超音波溶着が好ましく採用できる。一方で、ヒートシールの方法としては、インパルス式、熱風式、熱板式、コテ式等が知られているが、インパルス式ヒートシールが好ましく採用できる。
【００１５】
本発明のファスナー構造体が備える結合部の形状は、例えばスライドファスナーを数百回程度開閉しただけでは剥がれないように支持テープと不織布生地を融着できるものであればよく、幅、長さ等も含めて特に限定されない。例えば、図１１（ａ）に示される不織布生地と支持テープとが融着されている結合部の形状は、エレメント列に沿って破線状に二列平行に形成されているものである。また、図１１（ｂ）に示される結合部の形状は、エレメント列に沿って直線状に形成されているものである。また、図１１（ｃ）に示される結合部の形状は、エレメント列に対し斜めに位置する短冊状であり、それがエレメント列に沿って多数形成されているものである。また、図１１（ｄ）に示される結合部の形状は、十字形状であり、それがエレメント列に沿って多数形成されているものである。さらに、これらの組み合わせも本発明のファスナー構造体の結合部の形状として当然採用し得るが、結合部の形状はこれらに限定されない。
【００１６】
本発明のファスナー構造体は、クローズドエンドファスナー及びオープンファスナーのどちらも適用される。クローズドエンドファスナーの場合は、エレメント列の終端に取着される止め具があって、スライダーを下した際、止め具によってスライダーが止まり、左右のテープが離れない。一方で、オープンファスナーの場合は、スライダー内への案内具を備えることで、左右のテープが離れることができる。
【００１７】
本発明のファスナー構造体は、従来の不織布からなる支持テープが不織布生地に縫着されたファスナー構造体の代わりに用いることができ、種々の袋物に適用できる。例えば、スーツ収納袋、エコバッグ、布団収納袋、本収納袋、鞄収納袋、靴収納袋、毛布収納袋、洗濯袋、ショッパー、巾着、ポーチ、衣類収納袋、傘収納袋、及び配送袋等に使用するこ
とができる。これらの袋は、収納物を頻繁に出し入れしたり、あるいは長く使用しないものなので、従来の不織布からなる支持テープが不織布生地に縫着されたファスナー構造体ではなく、本発明の不織布からなる支持テープが不織布生地に融着されたファスナー構造体の性能でも十分である。しかも縫着ではなく融着することで従来よりも低コストで製造することができる。
【実施例】
【００１８】
以下に、図面を参照して本発明をより詳細に説明する。図１は本発明の実施例１のファスナー構造体を表す図であり、図２は、本発明の実施例２のファスナー構造体を表す図であり、図３は、本発明のファスナー構造体を用いたスーツ収納袋を表す図であり、図４は、本発明のファスナー構造体を用いたエコバッグを表す図であり、図５は、本発明のファスナー構造体を用いた布団収納袋を表す図であり、図６は、本発明のファスナー構造体を用いた本収納袋を表す図であり、図７は、本発明のファスナー構造体を用いた鞄収納袋を表す図であり、図８は、本発明のファスナー構造体を用いた靴収納袋を表す図であり、図９は、本発明のファスナー構造体を用いた毛布収納袋を表す図であり、図１０は、本発明のファスナー構造体を用いた洗濯袋を表す図である。しかし、本発明のファスナー構造体及び該ファスナー構造体を用いた袋物は以下に限定されるものではない。
【００１９】
実施例１：
実施例１のファスナー構造体は、図１に示すように不織布生地４（ポリプロピレン製）並びに、支持テープ３、エレメント５、スライダー６及び留め具７からなるスライドファスナー（いずれもポリプロピレン製）を備える。さらに実施例１のファスナー構造体は、開閉自在とする部位で対向する左右の不織布生地４と、上記２枚の支持テープ３とが夫々回転ロール（ミシン）にて超音波融着されている結合部２ａを備えてなる。結合部２ａが超音波融着されていることで、後述するように、二百回程度の開閉ではまったく剥がれないくらいの十分な強度を有する。よって、頻繁に収納物を出し入れしない、あるいは長く使用しない用途の収納袋に用いるファスナー構造体の性能としては十分であることがわかった。また、支持テープ３と不織布４をつなげるために、縫着するのではなく、超音波融着しているので、従来よりも安く製造することができる。
【００２０】
実施例２：
実施例２のファスナー構造体８（オープンファスナー）は、図２に示したように実施例１のファスナー構造体１の留め具７が案内具９に変更されたことでオープンファスナーとなったものである。
【００２１】
実施例３：
実施例３のスーツ収納袋１０は、図３に示したように本発明のファスナー構造体（オープンファスナー）８を備えるものである。
【００２２】
実施例４：
実施例４のエコバッグ１１は、図４に示したように本発明のファスナー構造体１を備えるものである。
【００２３】
実施例５：
実施例５の布団収納袋１２は、図５に示したように本発明のファスナー構造体１を備えるものである。
【００２４】
実施例６：
実施例６の本収納袋１３は、図６に示したように本発明のファスナー構造体１を備えるものである。
【００２５】
実施例７：
実施例７の鞄収納袋１４は、図７に示したように本発明のファスナー構造体１を備えるものである。
【００２６】
実施例８：
実施例８の靴収納袋１５は、図８に示したように本発明のファスナー構造体１を備えるものである。
【００２７】
実施例９：
実施例９の毛布収納袋１６は、図９に示したように本発明のファスナー構造体１を備えるものである。
【００２８】
実施例１０：
実施例１０の洗濯袋１７は、図１０に示したように本発明のファスナー構造体１を備えるものである。
【００２９】
＜ファスナー構造体の開閉試験＞
実施例１のファスナー構造体を水平に敷いて不織布生地の四隅を固定し、スライドファスナーの開閉を二百回行なった。その結果、結合部（超音波融着部）が剥がれることはなかった。従って、スーツ収納袋等の使い捨てもしくは使用寿命の短い用途の収納袋あるいは布団収納袋等の使用頻度の少ない用途の収納袋に用いられるのに適していることがわかった。
【符号の説明】
【００３０】
１    ファスナー構造体
２ａ  結合部
２ｂ  結合部
２ｃ  結合部
２ｄ  結合部
３    支持テープ
４    不織布生地
５    エレメント
６    スライダー
７    止め具
８    ファスナー構造体（オープンファスナー）
９    案内具
１０  スーツ収納袋
１１  エコバッグ
１２  布団収納袋
１３  本収納袋
１４  鞄収納袋
１５  靴収納袋
１６  毛布収納袋
１７  洗濯袋
【図１】
2020180413.tif 000003
【図２】
2020180413.tif 000004
【図３】
2020180413.tif 000005
【図４】
2020180413.tif 000006
【図５】
2020180413.tif 000007
【図６】
2020180413.tif 000008
【図７】
2020180413.tif 000009
【図８】
2020180413.tif 000010
【図９】
2020180413.tif 000011
【図１０】
2020180413.tif 000012
【図１１】
2020180413.tif 000013